(57)【要約】      （修正有）【課題】外部入力機器の電源がオンされたときに、外部入力機器からの映像を観察したい場合にのみ、表示することができる、映像表示装置及び映像表示方法を提供する。【解決手段】映像表示装置は、外部入力機器の映像を表示する映像表示装置において、映像表示装置用リモコン１２及び外部入力機器用リモコン１３から送信される信号を受信可能な受信部７、該受信部において受信した信号が、前記映像表示装置用リモコンまたは前記外部入力機器用リモコンのいずれから送信された信号であるかの判定を行う判定部８、及び前記外部入力機器から入力される映像信号を検出する検出部１１を備えており、前記検出部が、前記映像信号を検出した場合に、前記判定部において、前記受信信号が、前記外部入力機器用リモコンから送信された信号と判定されているときは、外部入力機器からの映像を表示する。【選択図】図１
2014068232.tif 000002
【特許請求の範囲】
【請求項１】
外部入力機器の映像を表示する映像表示装置において、
映像表示装置用リモコン及び外部入力機器用リモコンから送信される信号を受信可能な受信部、
該受信部において受信した信号が、前記映像表示装置用リモコンまたは前記外部入力機器用リモコンのいずれから送信された信号であるかの判定を行う判定部、及び
前記外部入力機器から入力される映像信号を検出する検出部を備えており、
前記検出部が、前記映像信号を検出した場合に、
前記判定部において、前記受信信号が、前記外部入力機器用リモコンから送信された信号と判定されているときは、外部入力機器からの映像を表示することを特徴とする映像表示装置。
【請求項２】
前記外部入力機器からの映像を子画面として表示することを特徴とする請求項１に記載の映像表示装置。
【請求項３】
外部入力機器の映像を表示する映像表示方法において、
映像表示装置用リモコン及び外部入力機器用リモコンから送信されるいずれの信号も受信可能な受信部において受信した信号が、前記映像表示装置用リモコンまたは前記外部入力機器用リモコンのいずれから送信された信号であるかの判定を行う工程、及び
前記外部入力機器用リモコンにより前記外部入力機器の電源がオンされたことに伴い、前記外部入力機器から入力される映像信号を検出する工程を備えており、
前記検出部が、前記映像信号を検出した場合に、
前記判定部において、前記受信信号が、前記外部入力機器用リモコンから送信された信号と判定されているときは、外部入力機器からの映像を表示する工程を備えることを特徴とする映像表示方法。
【発明の詳細な説明】
【技術分野】
【０００１】
本発明は、外部入力機器からの映像信号が入力される映像表示装置及び映像表示方法に関する。
【背景技術】
【０００２】
近年、レコーダなどの記録媒体に記録された映像を表示する際の表示方法について、様々な
技術開発が行われている。
【０００３】
特許文献１には、テレビ受信モードにおいてビデオ機器の再生操作により二画面モードに自動切換し、小画面にビデオ機器の出力映像を再生させ、ビデオ機器の操作を停止させた時はテレビ受信モードに自動的に復帰させることにより、リモコンによるモード切換を不要にできる映像信号表示装置について開示されている。
【０００４】
図５は、テレビ受信モード時に、検知回路図により検知信号を感知したとき、自動的に二画面モードに切換る構成図を示したものである。ビデオ機器が映像信号入力端子２２ｂに接続され、動作検出部１５によりＨの信号を検出しトランジスタ１６のベースに入力し、トランジスタ１６及びトランジスタ１７がオンする。
【０００５】
マイコン処理部１８のキー出力ポート部１９よりスキャン信号が出力され、トランジスタ１７のベース、エミッタを経由しキー入力ポート部２１にスキャン信号が取り込まれ、モード切換部２０から二画面制御信号が出力端子２２ｃより出力する。
【０００６】
動作検出部１５より信号が出力されない時、キー入力ポート部２１に信号が取り込まれないのでモードは切換わらない。このような構成とすることにより、ビデオ機器の出力映像を表示する際の画面モードの自動切換が可能となる。
【先行技術文献】
【特許文献】
【０００７】
【特許文献１】特開平７−１５４７６号公報
【発明の概要】
【発明が解決しようとする課題】
【０００８】
特許文献１には、ビデオ機器からのビデオ信号があるときには、自動的に小画面表示を行う映像信号表示装置について開示されている。該映像信号表示装置では、例えば、録画予約の実行などによって、ビデオ機器の電源がオンされたときなどにも、ビデオ信号の検出を行って自動的に小画面表示を行うことになる。
【０００９】
しかしながら、放送番組の観察中に、自動的に小画面表示されると、視聴者は視聴中の番組に対する興味が削がれてしまう。
また、録画中の映像を観察したくない場合であっても自動的に小画面表示されることになる。更に、放送番組の観察中に小画面表示されることは、番組映像の一部が欠損することになり、興味深い映像を見逃してしまう可能性もあり、問題である。
【００１０】
そこで、本発明は、上記課題を解決するためのものであり、外部入力機器の電源がオンされた場合に、外部入力機器からの映像を観察したいときにのみ表示することができる映像表示装置及び映像表示方法を提供することを目的とする。
【課題を解決するための手段】
【００１１】
本発明に係る映像表示装置は、外部入力機器の映像を表示する映像表示装置において、映像表示装置用リモコン及び外部入力機器用リモコンから送信される信号を受信可能な受信部、該受信部において受信した信号が、前記映像表示装置用リモコンまたは前記外部入力機器用リモコンのいずれから送信された信号であるかの判定を行う判定部、及び前記外部入力機器から入力される映像信号を検出する検出部を備えており、前記検出部が、前記映像信号を検出した場合に、前記判定部において、前記受信信号が、前記外部入力機器用リモコンから送信された信号と判定されているときは、外部入力機器からの映像を表示することを特徴とする。
【００１２】
前記外部入力機器からの映像を子画面として表示することを特徴とする。
【００１３】
本発明に係る映像表示方法は、外部入力機器の映像を表示する映像表示方法において、映像表示装置用リモコン及び外部入力機器用リモコンから送信されるいずれの信号も受信可能な受信部において受信した信号が、前記映像表示装置用リモコンまたは前記外部入力機器用リモコンのいずれから送信された信号であるかの判定を行う工程、及び前記外部入力機器用リモコンにより前記外部入力機器の電源がオンされたことに伴い、前記外部入力機器から入力される映像信号を検出する工程を備えており、前記検出部が、前記映像信号を検出した場合に、前記判定部において、前記受信信号が、前記外部入力機器用リモコンから送信された信号と判定されているときは、外部入力機器からの映像を表示する工程を備えることを特徴とする。
【発明の効果】
【００１４】
本発明に係る映像表示装置及び映像表示方法によれば、外部入力機器の電源がオンされた場合に、外部入力機器からの映像を観察したいときにのみ表示することができる。
【図面の簡単な説明】
【００１５】
【図１】本発明の実施例１に関するブロック構成図。
【図２】本発明の実施例１の動作を説明するフローチャート。
【図３】本発明の実施例１に関する説明図。
【図４】本発明の実施例１の動作を説明するフローチャート。
【図５】従来技術に関する説明図。
【発明を実施するための形態】
【実施例１】
【００１６】
本発明の実施例１について、図１から４を用いて説明する。図１は、本発明に係る映像表示装置のブロック構成図であり、アンテナ１、映像音声信号処理部２、映像信号出力部３、音声信号出力部４、表示部５、スピーカ６、リモコン信号受信部７、リモコン信号判定部８、制御部９、外部リモコン信号受信履歴記録部１０、外部信号検出部１１から構成される。
【００１７】
１２は映像表示装置用リモコン、１３は外部入力機器用リモコンである。当該映像表示装置は、例えばテレビ受像機である。また、リモコンとは、リモートコントローラの略称である。１４は外部入力機器であり、本実施例においては、これに限定されるものではないが、レコーダなどの録画機器を想定する。
【００１８】
次に、実施例１の動作について説明する。アンテナ１は、放送波を受信して周波数変換を行い、映像音声信号処理部２に出力する。尚、放送波の受信に関して、アンテナを用いた構成でなく有線放送のような有線によるものであってもよい。
【００１９】
映像音声信号処理部２は、入力された放送波から、復調する放送信号の選局を行い、入力された放送信号の映像音声部分、番組情報等を含むデータ部分を分離し、圧縮符号化された映像データや音声データを表示データや発生音データにデコードし、映像信号出力部３及び音声信号出力部４に入力する。
【００２０】
映像信号出力部３は、前記入力される信号にもとづいて、例えばスケーリング等の処理を行い、表示部５に表示させる映像信号を生成する。
【００２１】
音声信号出力部４は、前記入力される信号にもとづいて、該信号にＤ／Ａ変換を施した後に信号の増幅を行い、スピーカ６に出力する。
【００２２】
映像表示装置用リモコン１２は、映像表示装置の選局、設定メニューの変更のために用いられるものであり、操作キーを備えていて、該操作キーを押下することなどにより、映像表示装置に対して所定の動作を行わせるものである。
【００２３】
視聴者は、映像表示装置用リモコン１２を用いて、選局などを行うために、リモコン信号受信部７に向けて、送信部（図示せず）から信号を送信する。
【００２４】
外部入力機器用リモコン１３は、外部入力機器に対して一定の制御を行うためのリモコンであり、電源のオン、オフ、録画予約の設定などを行う。
【００２５】
敢えて図示しないものの、外部入力機器１４は、リモコン信号受信部を備えており、外部入力機器用リモコン１３からの信号を受信する。
【００２６】
尚、以下から映像表示装置用リモコンから送信される信号を映像リモコン信号、外部入力機器用リモコンから送信される信号を外部リモコン信号と称し、映像リモコン信号及び外部リモコン信号を総称してリモコン信号と称する。該リモコン信号は、例えば、赤外線信号である。
【００２７】
ここで、通常、外部入力機器１４は、映像表示装置の付近に設置して使用することがほとんどである。こういった場合、リモコン信号として一般的に用いられる赤外線の照射角度が大きいことから、外部リモコン信号は、外部入力機器１４のみならず映像表示装置のリモコン信号受信部７にも入力がなされる。
本実施例では、上述したような状況を想定するものであり、詳細については後述するが、当該映像表示装置が、外部リモコン信号を受信したときには、視聴者によって外部入力機器の電源がオンされたものとして、外部入力機器からの映像に切換えを行う映像表示装置について説明する。
【００２８】
リモコン信号受信部７は、映像表示装置用リモコン１２、外部入力機器用リモコン１３から入力されるリモコン信号を受信し、該受信信号をリモコン信号判定部８に入力する。ここで、後述するが、一般的に、リモコンを用いて機器の制御を行うには、リモコンコードを用いることによって、リモコンと対応付けがなされている被制御機器の操作を行うものであり、前記外部入力機器用リモコン１３のリモコンコードは、映像表示装置との対応付けがなされていないものの、外部入力機器用リモコン１３から送信される信号の受信は、リモコン信号受信部７で行うことが可能であるものとする。
【００２９】
リモコン信号判定部８は、リモコン信号受信部７を介して入力されるリモコン信号が、映像リモコン信号であるか外部リモコン信号であるかについての判定を行う。
【００３０】
該判定は、例えば、リモコンコードを用いて行うことができる。一般にリモコンコードとは、リモコンからの信号に重畳される信号であって、被制御機器とリモコンとの対応づけがなされている制御コードであり、リモコンからの信号を受信する機器はリモコンコードの制御命令に基づき、選局や設定メニューの変更などの各種制御がされる。
【００３１】
従って、映像信号装置において、予め対応付けされているリモコンコードが重畳されているリモコン信号が入力された場合には、映像リモコン信号が入力されたと判定する。
【００３２】
一方、リモコンコードの対応付けがなされていないリモコン信号が入力された場合には、外部リモコン信号の入力がされたと判定する。
【００３３】
リモコン信号判定部８は、外部リモコン信号が入力されたと判定した場合には、その旨を外部リモコン信号受信履歴記録部１０に通知し、受信履歴として格納しておき、所定時間経過後に消去する。
【００３４】
外部入力機器１４は、映像表示装置が備える所定の映像端子（図示せず）に接続されて、例えば、外部入力機器１４に録画されている映像に係る映像信号を映像表示装置に送信して、録画映像の再生等を行う。また、当該外部入力機器１４は、電源がオフされている場合であっても、録画予約を実行する際には、電源がオフからオンになる。
【００３５】
この場合、外部入力機器１４及び映像表示装置の機器の設定などにもよるが、自動的に録画予約中の番組に係る映像信号が、映像表示装置に入力され、映像表示装置の表示画面は、前記録画予約中の番組に係る映像に切換る。本実施例においては、上述したような録画予約動作に伴って、自動的に録画予約中の番組に、映像表示装置の表示画面の映像が切換る場合を想定するものとする。
【００３６】
外部信号検出部１１は、前記外部入力機器１４から入力される映像信号の検出を行う。該検出は、前記映像信号中に含まれる垂直同期信号をもとに生成されるフレームパルスを検出することなどにより行う。
【００３７】
外部信号検出部１１は、映像信号を検出したときには、その旨を制御部９に通知する。
【００３８】
制御部９は、前記通知にもとづいて、外部リモコン信号受信履歴記録部１０の受信履歴の有無について判断を行う。該判断結果から、制御部９は、映像表示装置が外部入力機器１４からの映像を表示中ではなく、前記受信履歴があれば、現在表示中の映像に変えて、外部入力機器１４からの映像を表示するように映像の切換えを行うように制御する。
【００３９】
上述したように、外部リモコン信号の受信履歴があるときに、外部入力機器からの映像に切換えを行うことで、視聴者が、自ら外部入力機器の電源をオンしたときにのみ外部入力機器からの映像を表示することができ、視聴者の意に反して外部入力機器の映像が表示されることを防止することができる。
【００４０】
図２は、上述した一連の動作を説明するフローチャートである。ステップＳ１において、外部入力機器からの映像信号を検出したときには、ステップＳ２において、外部リモコン信号の受信履歴の有無を確認する。受信履歴があれば、ステップＳ３において、視聴者が外部入力機器用リモコンを用いて操作を行ったものと判断し、ステップＳ４びおいて、外部入力機器１４からの映像に切換える。
【００４１】
ステップＳ２において、外部リモコン信号の受信履歴がなければ、ステップＳ５において、録画予約動作によって、外部入力機器１４からの映像信号の入力が行われたものと判断し、ステップＳ６において、映像の切換えは行わない。
【００４２】
図３は、外部入力機器１４からの映像を表示するときの表示画面の様子を示す説明図である。図３（ａ）は、録画予約によって外部入力機器１４の電源がオンされて、外部入力機器１４からの映像信号を検出したときであり、この場合、図３（ｂ）に示すように、外部入力機器１４からの映像への切換えは行わない。
【００４３】
図３（ｃ）は、外部入力機器用リモコン１３の外部リモコン信号を受信して、外部入力機器１４からの映像信号を検出したときであり、この場合には、図３（ｄ）に示すように、外部入力機器１４からの映像を表示するように表示画面の切換えを行う。
【００４４】
尚、上記では、表示画面を外部入力機器からの映像に切換えるとしているが、例えば、外部入力機器からの映像を子画面として表示するように、映像を切換えてもよいものとする。
【００４５】
上述した外部リモコン信号の受信履歴を格納する一連の動作について、フローチャートとして、図４を用いて説明する。
【００４６】
ステップＳ１において、リモコン信号を受信したならば、ステップＳ２において、前記リモコン信号が、映像リモコン信号か外部リモコン信号であるかを判断し、外部リモコン信号であるならば、ステップＳ３において、外部リモコン信号受信履歴記録部９に１０秒間受信履歴を記録する。受信履歴を１０秒間記録するとしているのは、後述するが、外部入力機器から映像表示装置に映像信号が入力されたときに、外部リモコン信号の受信履歴の有無を確認することにより、視聴者が外部入力機器用リモコンを用いて操作を行ったものか否かについて判断するためである。尚、本実施例においては、受信履歴を１０秒間記録するとしているが、これに限られないことは言うまでもない。
【００４７】
ステップＳ４において、前記受信履歴の記録時から１０秒間経過したならば、上述したような、視聴者が外部入力機器用リモコンを用いて操作を行ったものか否かについて判断は既にされており、前記受信履歴は不要であるため、ステップＳ５において受信履歴の削除を行う。
【００４８】
ステップＳ２において、映像リモコン信号と判断したならば、ステップＳ６において、選局などの通常のリモコン操作に応じた動作を行う。
【００４９】
以上、本実施例による映像表示装置及び映像表示方法によれば、視聴者が、自ら外部入力機器の電源をオンしたときにのみ外部入力機器からの映像を表示することができ、視聴者の意に反して外部入力機器の映像が表示されることを防止することができる。
【符号の説明】
【００５０】
１  アンテナ
２  映像音声信号処理部
３  映像信号出力部
４  音声信号出力部
５  表示部
６  スピーカ
７  リモコン信号受信部
８  リモコン信号判定部
９  制御部
１０  外部リモコン信号受信履歴記録部
１１  外部信号検出部
１２  映像表示装置用リモコン
１３  外部入力機器用リモコン
１４  外部入力機器
【図１】
2014068232.tif 000003
【図２】
2014068232.tif 000004
【図３】
2014068232.tif 000005
【図４】
2014068232.tif 000006
【図５】
2014068232.tif 000007